【手続補正書】
【提出日】令和2年1月10日(2020.1.10)
【手続補正１】
【補正対象書類名】明細書
【補正対象項目名】０００６
【補正方法】変更
【補正の内容】
【０００６】
上記課題を解決するため、この発明に係る端末装置は、
保存対象のファイルを分割して分割ファイルを生成する分割手段と、
複数の暗号化手法と複数の記憶先のうちのそれぞれ１つを選択する選択手段と、
前記選択手段で選択された暗号化手法で、前記分割手段により生成された分割ファイルを暗号化し、前記暗号化した分割ファイルを前記選択手段により選択された記憶先に保存する保存手段と、
前記分割ファイルを特定する情報と、前記暗号化手法と、保存先のアドレスとを対応付ける対応付手段と、
生体情報を取得する取得手段と、
を備え、
前記選択手段は、前記取得手段により取得された生体情報に基づいて、複数の暗号化手法のうちの１つ又は複数の記憶先のうちの１つを選択する。
【手続補正２】
【補正対象書類名】明細書
【補正対象項目名】０００７
【補正方法】変更
【補正の内容】
【０００７】
前記生体情報には、複数の種類の生体情報が含まれ、
前記選択手段は、前記複数の種類の生体情報から、それぞれ前記暗号化手法を選択し、
前記保存手段は、前記選択手段が選択した暗号化手法により、前記分割ファイルを暗号化する、
ように構成してもよい。
【手続補正３】
【補正対象書類名】明細書
【補正対象項目名】０００８
【補正方法】変更
【補正の内容】
【０００８】
前記選択手段は、前記取得手段により取得された生体情報に基づいて、複数の暗号化キー又は暗号化アルゴリズムのうちの１つを選択する、ように構成してもよい。
【手続補正４】
【補正対象書類名】明細書
【補正対象項目名】０００９
【補正方法】変更
【補正の内容】
【０００９】
前記選択手段は、前記取得手段により取得された生体情報に基づいて、パッドデータの配置位置を選択し、前記分割手段は、分割後のデータを所定サイズにするため、前記選択手段により選択された位置にパッドデータを配置する、ように構成してもよい。
【手続補正５】
【補正対象書類名】明細書
【補正対象項目名】００１０
【補正方法】変更
【補正の内容】
【００１０】
前記選択手段は、前記取得手段により取得された生体情報に基づいて、分割ファイルの記憶先を選択し、前記保存手段は、分割ファイルを前記選択手段により選択された記憶先に記憶する、ように構成してもよい。
【手続補正６】
【補正対象書類名】明細書
【補正対象項目名】００１１
【補正方法】変更
【補正の内容】
【００１１】
上記課題を解決するため、この発明に係る端末装置は、
保存対象のファイルを分割して分割ファイルを生成する分割手段と、
複数の暗号化手法と複数の記憶先のうちのそれぞれ１つを選択する選択手段と、
前記選択手段で選択された暗号化手法で、前記分割手段により生成された分割ファイルを暗号化し、前記暗号化した分割ファイルを前記選択手段により選択された記憶先に保存する保存手段と、
前記分割ファイルを特定する情報と、前記暗号化手法と、保存先のアドレスとを対応付ける対応付手段と、
を備え、
前記保存手段は、さらに、前記暗号化手法を特定する情報を前記選択手段により選択された記憶先に保存し、
前記分割手段が生成した分割ファイルと、その分割ファイルを暗号化した暗号化手法を特定する情報と、を異なる記憶先に保存する。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、例えば、読み出し対象ファイルに対応する前記分割ファイルを特定する分割ファイル特定手段と、
前記対応付手段を参照して前記分割ファイルの保存先のアドレスと前記暗号化手法とを特定する特定手段と、
前記特定手段により特定されたアドレスから前記分割ファイルを読み出し、特定された前記暗号化手法に基づいて復号化する再生手段と、
をさらに備えても良い。
【手続補正９】
【補正対象書類名】明細書
【補正対象項目名】００１８
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
保存対象のファイルを分割して分割ファイルを生成する分割手段と、
複数の暗号化手法と複数の記憶先のうちのそれぞれ１つを選択する選択手段と、
前記選択手段で選択された暗号化手法で、前記分割手段により生成された分割ファイルを暗号化し、前記暗号化した分割ファイルを前記選択手段により選択された記憶先に保存する保存手段と、
前記分割ファイルを特定する情報と、前記暗号化手法と、保存先のアドレスとを対応付ける対応付手段と、
生体情報を取得する取得手段と、
を備え、
前記選択手段は、前記取得手段により取得された生体情報に基づいて、複数の暗号化手法のうちの１つ又は複数の記憶先のうちの１つを選択する、
端末装置。
【請求項２】
前記生体情報には、複数の種類の生体情報が含まれ、
前記選択手段は、前記複数の種類の生体情報から、それぞれ前記暗号化手法を選択し、
前記保存手段は、前記選択手段が選択した暗号化手法により、前記分割ファイルを暗号化する、
請求項１に記載の端末装置。
【請求項３】
前記選択手段は、前記取得手段により取得された生体情報に基づいて、複数の暗号化キー又は暗号化アルゴリズムのうちの１つを選択する、
請求項１又は２に記載の端末装置。
【請求項４】
前記選択手段は、前記取得手段により取得された生体情報に基づいて、パッドデータの配置位置を選択し、
前記分割手段は、分割後のデータを所定サイズにするため、前記選択手段により選択された位置にパッドデータを配置する、
請求項１から３の何れか１項に記載の端末装置。
【請求項５】
前記選択手段は、前記取得手段により取得された生体情報に基づいて、分割ファイルの記憶先を選択し、
前記保存手段は、分割ファイルを前記選択手段により選択された記憶先に記憶する、
請求項１から４の何れか１項に記載の端末装置。
【請求項６】
保存対象のファイルを分割して分割ファイルを生成する分割手段と、
複数の暗号化手法と複数の記憶先のうちのそれぞれ１つを選択する選択手段と、
前記選択手段で選択された暗号化手法で、前記分割手段により生成された分割ファイルを暗号化し、前記暗号化した分割ファイルを前記選択手段により選択された記憶先に保存する保存手段と、
前記分割ファイルを特定する情報と、前記暗号化手法と、保存先のアドレスとを対応付ける対応付手段と、
を備え、
前記保存手段は、さらに、前記暗号化手法を特定する情報を前記選択手段により選択された記憶先に保存し、
前記分割手段が生成した分割ファイルと、その分割ファイルを暗号化した暗号化手法を特定する情報と、を異なる記憶先に保存する、
端末装置。
【請求項７】
読み出し対象ファイルに対応する前記分割ファイルを特定する分割ファイル特定手段と、
前記対応付手段を参照して前記分割ファイルの保存先のアドレスと前記暗号化手法とを特定する特定手段と、
前記特定手段により特定されたアドレスから前記分割ファイルを読み出し、特定された前記暗号化手法に基づいて復号化する再生手段と、
を含む、請求項１から６の何れか１項に記載の端末装置。
【請求項８】
前記分割ファイルは、１クラスタ分のデータから構成される、
請求項１から７の何れか１項に記載の端末装置。
【請求項９】
前記複数の記憶先の少なくとも１つは、着脱可能に取り付けられている、
請求項１から８の何れか１項に記載の端末装置。
【請求項１０】
前記複数の記憶先の少なくとも１つは、クラウド上に配置されている、
請求項１から９の何れか１項に記載の端末装置。
【請求項１１】
コンピュータを、
請求項１から１０の何れか１項に記載の端末装置として機能させるためのコンピュータプログラム。